(57)【要約】【課題】レンズホルダと素子ホルダとが導電性接着剤で接着される構造のカメラモジュールにおいて、接着領域が狭小になってもレンズホルダと素子ホルダとの間に強い接着力を得ることができるカメラモジュールを提供する。【解決手段】  撮影レンズ１００を保持したレンズホルダ１０と素子ホルダ１１に接着固定するにあたって、素子ホルダ１１をレンズホルダ１０の結像側開口１０２を一周する周回方向に渡って導電性接着剤ＡＨ１で接着固定し、その後、その導電性接着剤ＡＨ１よりも接着力の強い第２の接着剤ＡＨ２でレンズホルダの結像側開口を一周する周回方向に離散した４箇所で固定する。【選択図】        図１
2010087833.tif 000002
【特許請求の範囲】
【請求項１】
撮影レンズを保持したレンズホルダと、撮像素子が固定され前記レンズホルダの結像側に接着固定された素子ホルダとを備えたカメラモジュールにおいて、
前記素子ホルダが、前記レンズホルダの結像側の面に導電性接着剤で固定されるとともに、さらに、該導電性接着剤よりも接着力の強い第２の接着剤で固定されていることを特徴とするカメラモジュール。
【請求項２】
前記レンズホルダが、前記撮影レンズを通過した光束を射出する結像側開口を有し、
前記素子ホルダが、前記導電性接着剤により、前記レンズホルダの結像側開口を周回する接着領域に一周に渡って接着固定され、さらに前記第２の接着剤により、該結像側開口を一周する周回方向に離散した複数箇所で接着固定されたものであることを特徴とする請求項１のカメラモジュール。
【請求項３】
前記導電性接着剤は金属粒子を含む接着剤であり、前記第２の接着剤が金属粒子を含まない接着剤であることを特徴とする請求項１又は２記載のカメラモジュール。
【請求項４】
前記撮影レンズを保持し前記レンズホルダ内壁面に螺合し、手動で回転を受けて前記レンズホルダに対し光軸方向の位置が調整されたレンズ枠を備え、前記レンズホルダは、該撮影レンズを保持したレンズ枠を保持するものであることを特徴とする請求項１から３のうちのいずれか１項に記載のカメラモジュール。
【請求項５】
前記素子ホルダが、前記素子ホルダに固定された撮像素子が前記レンズホルダに保持された撮影レンズの結像面と重なる位置および姿勢に調整された状態で、前記導電性接着剤および前記第２の接着剤により固定されてなることを特徴とする請求項１から３のうちのいずれか１項記載のカメラモジュール。
【発明の詳細な説明】
【技術分野】
【０００１】
本発明は、撮影レンズを保持したレンズホルダと、撮像素子が固定され前記レンズホルダの結像側に接着固定された素子ホルダとを備えたカメラモジュールに関する。
【背景技術】
【０００２】
近頃では携帯電話機等のような小型の携帯機器に大抵カメラモジュールが内蔵されるようになってきている。このような携帯電話機に内蔵されるカメラモジュールにあっては、小型の携帯機器に搭載することができるように余計な機構や部材を減らして必要な点数の部材のみでカメラモジュールを構成する必要がある。特許文献１から特許文献４等では、レンズが保持されたレンズホルダと撮像素子が保持された素子ホルダとの２つの部材でカメラモジュールを構成してそれらを接着剤で接着固定することで、カメラモジュールの小型および薄型化を実現している。
【０００３】
ところで、特許文献１から４等の従来のカメラモジュールにおいては接着剤に導電性接着剤を使用する場合がある。この導電性接着剤を用いると、接着層を通して、カメラモジュールの内部から外部に向かって不要な電磁波が放射されたり、不要な電磁波が外部からカメラモジュールの内部に入り込んだりすることが防止されるというシールド効果が得られる。
【０００４】
しかし、最近では携帯電話機等の更なる小型・薄型化が図られるようになってきて上記カメラモジュールの上記レンズホルダと上記素子ホルダとの双方に設けられる接着領域の寸法を狭小にせざるを得ない状況になってきている。上記導電性接着剤には、導電性を得るために金属粒子が混入されているために接着領域の寸法が狭小になると、十分な接着力が得られないことがある。
【特許文献１】特開２００８−２８８３８号公報
【特許文献２】特開２００７−２７４２３０号公報
【特許文献３】特開２００６−２５０９６４号公報
【特許文献４】特開２００６−２１７３１０号公報
【発明の開示】
【発明が解決しようとする課題】
【０００５】
本発明は、上記事情に鑑み、レンズホルダと素子ホルダとが導電性接着剤で接着される構造のカメラモジュールにおいて、レンズホルダと素子ホルダとの双方の接着領域が狭小になってもレンズホルダと素子ホルダとの間に強い接着力を得ることができるカメラモジュールを提供することを目的とする。
【課題を解決するための手段】
【０００６】
上記目的を達成する本発明のカメラモジュールは、撮影レンズを保持したレンズホルダと、撮像素子が固定され上記レンズホルダの結像側に接着固定された素子ホルダとを備えたカメラモジュールにおいて、
上記素子ホルダが、上記レンズホルダの結像側の面に導電性接着剤で固定されるとともに、さらに、その導電性接着剤よりも接着力の強い第２の接着剤で固定されていることを特徴とする。
【０００７】
上記本発明のカメラモジュールによれば、上記導電性接着剤で上記レンズホルダと上記素子ホルダとが接着固定された後、さらに、その導電性接着剤よりも接着力の強い第２の接着剤で素子ホルダとレンズホルダとが接着固定される。このため、接着領域が狭小になっても、導電性接着剤よりも接着力の強い上記第２の接着剤によって強い接着力が得られる。
【０００８】
ここで、上記レンズホルダが、上記撮影レンズを通過した光束を射出する結像側開口を有し、
上記素子ホルダが、上記導電性接着剤により、上記レンズホルダの結像側開口を周回する接着領域に一周に渡って接着固定され、さらに上記第２の接着剤により、その結像側開口を一周する周回方向に離散した複数箇所で接着固定されたものであることが好ましい。
【０００９】
上記導電性接着剤は、シールド効果を得るために上記レンズホルダの結像側開口を周回する接着領域に一周に渡って塗布する必要があるが、その導電性接着剤よりも強い接着力を持つ第２の接着剤は、一周に渡って塗布する必要はなく、周回方向に離散した複数箇所に塗布しても良い。
【００１０】
ここで、上記導電性接着剤は金属粒子を含む接着剤であり、上記第２の接着剤が金属粒子を含まない接着剤である。
【００１１】
上記本発明のカメラモジュールは、上記撮影レンズを保持し上記レンズホルダ内壁面に螺合し、手動で回転を受けて前記レンズホルダに対し光軸方向の位置が調整されたレンズ枠を備え、上記レンズホルダは、その撮影レンズを保持したレンズ枠を保持するものであっても良く、
上記素子ホルダが、その素子ホルダに固定された撮像素子が上記レンズホルダに保持された撮影レンズの結像面と重なる位置および姿勢に調整された状態で、上記導電性接着剤および上記第２の接着剤により固定されてなるものであっても良い。
【発明の効果】
【００１２】
本発明によれば、レンズホルダと素子ホルダとが導電性接着剤で接着される構造のカメラモジュールにおいて、接着領域が狭小になってもレンズホルダと素子ホルダとの間に強い接着力を得ることができるカメラモジュールが実現する。
【発明を実施するための最良の形態】
【００１３】
以下、図面を参照して本発明の実施の形態を説明する。
【００１４】
図１、図２は、本発明が適用されたカメラモジュールの構成を示す図である。
【００１５】
図１、図２には、カメラモジュールの上面図およびそのカメラモジュールの上面図が有する４つの側面から見た４つの側面図と、上面図のＡ−Ａ矢視図とが示されている。
【００１６】
図１には、撮影レンズ１００を保持しレンズホルダ１０の内壁面に螺合し、手動で回転を受けてレンズホルダ１０に対し光軸方向の位置が調整されたレンズ枠１０１を備え、レンズホルダ１０がその撮影レンズ１００を保持したレンズ枠１０１を保持する構成を持つカメラモジュール１が示されている。
【００１７】
このカメラモジュール１のレンズホルダ１０と素子ホルダ１１との双方に設けられた接着領域、後述するレンズホルダの結像側開口１０２の部分が、Ａ―Ａ矢視図に示す様に従来に比べて狭小に構成されているとする。
【００１８】
図１を参照して構成を簡単に説明する。
【００１９】
図１に示すカメラモジュール１には、レンズホルダ１０と素子ホルダ１１とが備えられており、レンズホルダ１０には、撮影レンズ１００が保持され、素子ホルダ１１には撮像素子１１０が保持されている。
【００２０】
その素子ホルダ１１には、撮像素子１１０が実装された基板１１１と、撮像素子１１０への赤外線の入射を阻止する赤外カットフィルタ１１２とが備えられている。
【００２１】
この素子ホルダ１１をレンズホルダ１０に接着固定するにあたっては、まずレンズホルダ１０の撮影レンズ１００を通過した光束を射出する結像側開口１０２を周回する接着領域に一周に渡って導電性接着剤ＡＨ１が塗布され素子ホルダ１１がレンズホルダ１０に接着固定される。その後、手動でレンズ枠１０１を回転させてレンズホルダ１０に対する光軸方向の位置が調整される。そしてレンズ枠１０１の回転によって焦点調整が終了した後、第２の接着剤ＡＨ２により、その結像側開口を一周する周回方向に離散した複数箇所（４箇所）でレンズホルダ１０と素子ホルダ１１とが接着固定される。
【００２２】
このような構成にすると、レンズホルダ１０と素子ホルダ１１との間に、導電性接着剤ＡＨ１によりシールド機能が得られるとともに第２の接着剤ＡＨ２によって強い接着力が得られる。
【００２３】
図２は、第２実施形態を説明する図である。
【００２４】
図２には、素子ホルダ２１が、素子ホルダ２１に固定された撮像素子２１０がレンズホルダ２０に保持された撮影レンズ２００の結像面に一致する位置および姿勢に調整された状態で、導電性接着剤ＡＨ１により固定されてなるカメラモジュール２が示されている。
【００２５】
図１の例では、手動で回転を受けてレンズ枠１０１を光軸に沿って前後させることにより焦点調整が行なわれるカメラモジュール１の構成が示されていたが、図２の例では、接着剤が硬化する前の柔軟性を利用して素子ホルダの位置および姿勢が調整されることにより焦点調整が行なわれるカメラモジュール２の構成が示されている。
【００２６】
この図２のカメラモジュール２のレンズホルダ２０と素子ホルダ２１との双方に設けられる接着領域、後述するレンズホルダ２０の結像側開口２０２の部分が、Ａ―Ａ矢視図に示す様に従来に比べて狭小に構成されているとする。
【００２７】
図２を参照して構成を簡単に説明する。
【００２８】
図２に示すカメラモジュール２には、レンズホルダ２０と素子ホルダ２１とが備えられており、レンズホルダ２０には撮影レンズ２００が保持され、素子ホルダ２１には撮像素子２１０が保持されている。
【００２９】
素子ホルダ２１には、撮像素子２１０が実装された基板２１１と、撮像素子２１０への赤外線の入射を阻止する赤外カットフィルタ２１２とが備えられている。
【００３０】
レンズホルダ２０には、撮影レンズ２００を通過した光束を射出する結像側開口２０２が設けられており、素子ホルダ２１は、導電性接着剤ＡＨ１により、レンズホルダ１０の上記結像側開口を周回する接着領域に一周に渡って接着固定される。
【００３１】
このときには導電性接着剤ＡＨ１の硬化する前の柔軟性を利用して素子ホルダ２１に固定された撮像素子２１０がレンズホルダ２０に保持された撮影レンズ２００の結像面と一致する位置および姿勢に調整される。
【００３２】
こうして上記素子ホルダ２１が、その素子ホルダ２１に固定された撮像素子２１０が上記レンズホルダ２０に保持された撮影レンズ２００の結像面と一致する位置および姿勢に調整された状態で、第２の接着剤ＡＨ２により、その結像側開口を一周する周回方向に離散した複数箇所（４箇所）で接着固定される。
【００３３】
このような構成にすると、導電性接着剤ＡＨ１によりシールド機能が得られるとともに第２の接着剤ＡＨ２によって強い接着力が得られる。
【００３４】
すなわち、図１、図２のどちらの構成のカメラモジュールにおいても、レンズホルダと素子ホルダとの間に高い導電性が得られるとともに強い接着力が得られる。
【図面の簡単な説明】
【００３５】
【図１】本発明が適用されたカメラモジュールの構成を示す図である。
【図２】図１とは異なる構成のカメラモジュールを示す図である。
【符号の説明】
【００３６】
１  ２  カメラモジュール
１０  ２０    レンズホルダ
１０２  ２０２    結像側開口
１１  ２１    素子ホルダ
ＡＨ１    導電性接着剤
ＡＨ２    導電性接着剤ＡＨ１よりも強い接着力を持つ第２の接着剤  
【図１】
2010087833.tif 000003
【図２】
2010087833.tif 000004